(57)【特許請求の範囲】
【請求項１】
竪樋、這樋等の筒状樋を支持する樋支持具本体と、前記樋支持具本体を屋根、壁面等に固定するための取付杆とをリベットで連結してなる樋支持具において、
前記取付杆の先端側には、前記樋支持具本体に形成した前記リベットの止具孔に上方から嵌挿して前記リベットを嵌挿方向にセッティングするガイド管を突設してなり、
前記ガイド管は、前記リベットの軸が貫通する前記取付杆に形成された取付孔の周縁に、上方に向けて筒体を立設してなり、前記ガイド管の外径は止具孔の口径にスムーズに嵌挿できる大きさとされ、前記ガイド管の内径はリベットの軸がスムーズに嵌挿可能な大きさとされ、前記ガイド管の高さは前記リベットの軸が前記ガイド管を貫通した際、前記リベットが前記ガイド管に規制される高さとされ、
前記取付杆のガイド管を、前記樋支持具本体の止具孔に嵌挿して、両者を仮止めした後、前記ガイド管の一方から前記リベットを挿通し、該リベットを打設して前記取付杆及び樋支持具本体を連結固定したことを特徴とする樋支持具。
【請求項２】
請求項１において、
取付杆及び樋支持具本体は、リベットのみで両者を連結固定してなる樋支持具。
【請求項３】
請求項１において、
取付杆及び樋支持具本体は、リベットがワッシャーを介して、両者を連結固定してなる樋支持具。
【発明の詳細な説明】
【技術分野】
【０００１】
本発明は、竪樋、這樋等の筒状樋を支持する樋支持具本体と、前記樋支持具本体を屋根、壁面等に固定するための取付杆とをリベットで連結してなる樋支持具に関する。
【背景技術】
【０００２】
従来の樋支持具は、竪樋、這樋等の筒状樋を支持する樋支持具本体と、前記樋支持具本体を屋根、壁面等に固定するための取付杆で構成しており、これら樋支持具本体及び取付杆とは、リベットで連結してなり、例えば、這樋用控え金具（樋支持具）としては、這樋の周囲を囲むように這樋に取り付ける這樋取り付け部（樋支持具本体）と、屋根瓦の端部に嵌合して取り付ける瓦取り付け部（取付杆）とを、リベットで連結したものなどがあった（例えば、特許文献１参照。）。
【０００３】
具体的には、前記取付杆の先端側には、前記樋支持具本体に形成した前記リベットの止具孔に対応する取付孔を開設してなり、前記取付杆の取付孔と前記樋支持具本体の止具孔を重合したうえで、前記リベットを挿通し、該リベットをカシメ止めして前記取付杆及び樋支持具本体を連結固定している。
【０００４】
なお、ここでは、這樋を支持する這樋用の樋支持具を例示して説明したが、竪樋を支持する竪樋用の樋支持具についても同様である。
【特許文献１】特開平１０−２０５０８６号
【発明の開示】
【発明が解決しようとする課題】
【０００５】
しかしながら、従来の樋支持具には、以下の問題があった。
【０００６】
すなわち、図４（a）で示すように、前記リベットをカシメ止めする際、作業者は、前記取付杆の取付孔と前記樋支持具本体の止具孔を重合してリベットカシメ機等の治具に取付けたたうえで、前記リベットを挿通して、該リベットをカシメ止めするのであるが、このとき、作業者が誤って前記リベットを傾いた状態でセッティングしてしまうと、これをカシメ止めした後には、図４（ｂ）で示すように、カシメ不良が生じるうえ、前記リベットが傾斜した状態のままで前記取付杆及び樋支持具本体を連結固定する（以下、「芯ズレ」とも呼ぶ。）危険があり、このような芯ズレした状態で、前記取付杆及び樋支持具本体が連結固定されると、前記取付杆の回転をスムーズに行うことができないうえ、これら取付杆及び樋支持具本体の連結にガタツキが生じ易く、安定した強度を得ることができないという問題があった。
【０００７】
本発明は、かかる課題を解決することを目的とするもので、取付杆及び樋支持具本体を連結固定する際、リベットを嵌挿方向に確実にセッティングして芯ズレを防止でき、安定した強度を得ることのできる樋支持具を提供する。
【課題を解決するための手段】
【０００８】
前記目的を達成するため、
請求項１に係る樋支持具は、竪樋、這樋等の筒状樋を支持する樋支持具本体と、前記樋支持具本体を屋根、壁面等に固定するための取付杆とをリベットで連結してなる樋支持具において、前記取付杆の先端側には、前記樋支持具本体に形成した前記リベットの止具孔に上方から嵌挿して前記リベットを嵌挿方向にセッティングするガイド管を突設してなり、前記ガイド管は、前記リベットの軸が貫通する前記取付杆に形成された取付孔の周縁に、上方に向けて筒体を立設してなり、前記ガイド管の外径は止具孔の口径にスムーズに嵌挿できる大きさとされ、前記ガイド管の内径はリベットの軸がスムーズに嵌挿可能な大きさとされ、前記ガイド管の高さは前記リベットの軸が前記ガイド管を貫通した際、前記リベットが前記ガイド管に規制される高さとされ、前記取付杆のガイド管を、前記樋支持具本体の止具孔に嵌挿して、両者を仮止めした後、前記ガイド管の一方から前記リベットを挿通し、該リベットを打設して前記取付杆及び樋支持具本体を連結固定したことを特徴とする。
【０００９】
請求項２に係る樋支持具は、請求項１において、取付杆及び樋支持具本体は、リベットのみで両者を連結固定してなる。
【００１０】
請求項３に係る樋支持具は、請求項１において、取付杆及び樋支持具本体は、リベットがワッシャーを介して、両者を連結固定してなる。
【発明の効果】
【００１１】
本発明によれば、次のような効果がある。
【００１２】
請求項１に係る樋支持具によれば、取付杆の先端側に、樋支持具本体に形成したリベットの止具孔に嵌挿して前記リベットを嵌挿方向にセッティングするガイド管を突設しているので、前記取付杆のガイド管を、前記樋支持具本体の止具孔に嵌挿するだけで、前記取付杆の取付孔と前記樋支持具本体の止具孔を確実に重合して仮止めすることができ、この仮止めした状態で、前記ガイド管の一方から前記リベットを挿通すれば、該リベットを嵌挿方向に確実にセッティングして、芯ズレを確実に防止できる。
【００１３】
そのため、連結固定後の前記取付杆の回転をスムーズに行うことができるうえ、取付杆及び樋支持具本体のガタツキを確実に防止して、樋支持具の安定した強度を得ることができる。
【００１４】
請求項２に係る樋支持具によれば、取付杆及び樋支持具本体は、リベットのみで両者を連結固定してなるので、部品点数を増加することなく、請求項１の効果を発揮できる。
【００１５】
請求項３に係る樋支持具によれば、取付杆及び樋支持具本体は、リベットがワッシャーを介して、両者を連結固定してなるので、リベットを確実にカシメ止めして、取付杆及び樋支持具本体のガタツキを更に確実に防止でき、樋支持具の安定した強度を更に得ることができる。。
【発明を実施するための最良の形態】
【００１６】
以下、本発明に係る樋支持具Ａを図面とともに説明する。
【実施例１】
【００１７】
図１は、本発明に係る樋支持具Ａの一実施例を示した分解斜視図であり、図２（ａ）、（ｂ）は、図１で示した樋支持具の組立て状態を示す要部の動作説明図である。
【００１８】
本発明の樋支持具Ａは、竪樋、這樋等の筒状樋を支持する樋支持具本体１と、該樋支持具本体１を屋根、壁面等に固定するための取付杆２とをリベット３で連結固定するものであって、具体的には、取付杆２の先端側には、樋支持具本体１に形成したリベット３の止具孔１１に嵌挿してリベットを嵌挿方向にセッティングするガイド管２１を突設してなる。
【００１９】
樋支持具本体１は、半円状に形成した本体部１２と蓋体１３に分割してなり、両者がヒンジ１４を介して開閉可能に連結している。
【００２０】
ここでの樋支持具本体１は、合成樹脂製のものを例示しているが、金属製であっても構わない。
【００２１】
又、樋支持具本体１の本体部１２の略中央には、リベット３を挿通可能な止具孔１１を形成している。
【００２２】
なお、止具孔１１の口径は、リベット３の軸３１の外径よりも小径であれば構わないが、取付杆２を用いることなく、止具孔１１に釘、ネジ等の止め具（不図示）を貫通して樋支持具本体１を屋根、壁面等に直接固定する場合には、前記止め具（不図示）及びリベット３の軸３１の何れもが挿通可能な口径に止具孔１１を開設しておけば、取付杆２又は前記止め具（不図示）の何れの場合であっても樋支持具本体１を兼用することができる。
【００２３】
取付杆２は、板状に形成され、その先端側には、樋支持具本体１の止具孔１１に嵌挿してリベットを嵌挿方向にセッティングするガイド管２１を突設してなる。
【００２４】
ここで、ガイド管２１とは、リベット３の軸３１が貫通する取付孔２２の周縁に、上方に向けて筒体を立設したものを意味するものである。
【００２５】
なお、取付杆２の基端側は、屋根、壁面等に固定可能であれば良く、その形状や構造には、限定されない。
【００２６】
ガイド管２１の外径は、止具孔１１の口径にスムーズに嵌挿できる大きさに形成され、又、ガイド管２１の内径は、リベット３の軸３１がスムーズに嵌挿可能な大きさに形成するのが好ましい。
【００２７】
又、ガイド管２１の高さは、リベット３の軸３１がガイド管２１を貫通した際、リベット３がガイド管２１に規制される高さとされて嵌挿方向に立設すれば良い。
【００２８】
このように構成した本発明の樋支持具Ａは、以下のように組み立てる。
【００２９】
先ず、取付杆２のガイド管２１を、樋支持具本体１の下方から止具孔１１に嵌挿して、これら取付杆２及び樋支持具本体１を仮止めする。
【００３０】
又は、取付杆２のガイド管２１をリベットカシメ機等の治具Ｒに取り付けたうえで、ガイド管２１の上方から樋支持具本体１の止具孔１１を嵌挿して、これら取付杆２及び樋支持具本体１を仮止めする。
【００３１】
そして、この仮止めした状態で、樋支持具本体１の止具孔１１からガイド管２１に向けて、リベット３の軸３１を挿通すれば、リベット３がガイド管２１に規制されて嵌挿方向に立設され、このリベット３の頭部３２をハンマーやリベットカシメ機等で打設すれば、リベット３が傾斜することなく、取付杆２及び樋支持具本体１が芯ズレを生じることなく確実に連結固定できるのである。
【００３２】
このように本発明の樋支持具Ａによれば、取付杆２の先端側に、樋支持具本体１に形成したリベット３の止具孔１１に嵌挿してリベットを嵌挿方向にセッティングするガイド管２１を突設しているので、取付杆２のガイド管２１を、樋支持具本体１の止具孔１１に嵌挿するだけで、取付杆２の取付孔２２と樋支持具本体１の止具孔１１を確実に重合して仮止めすることができ、この仮止めした状態で、ガイド管２１の一方からリベット３を挿通すれば、該リベット３を嵌挿方向に確実にセッティングして、芯ズレを確実に防止できる。
【００３３】
そのため、連結固定後の取付杆２の回転をスムーズに行うことができるうえ、取付杆２及び樋支持具本体１のガタツキを確実に防止して、樋支持具Ａの安定した強度を得ることができる。
【００３４】
又、本実施例で示すように、取付杆２及び樋支持具本体１は、リベット３のみで両者を連結固定してなるので、部品点数を増加することなく、前記効果を発揮できる。
【００３５】
なお、ここでは、這樋を支持する這樋用の樋支持具Ａを例示して説明したが、竪樋を支持する竪樋用の樋支持具Ａについても同様である。
【実施例２】
【００３６】
図３（ａ）、（ｂ）は、本発明に係る樋支持具Ａの他の実施例の組立て状態を示す要部の動作説明図である。
【００３７】
なお、図１及び図２と共通する部位には、同一の符号を付して重複する説明を省略し、以下では、本実施例の特徴についてのみ説明する。
【００３８】
この樋支持具Ａでは、取付杆２及び樋支持具本体１を連結固定するリベット３が、ワッシャー４を介して、両者を連結固定してなる点に特徴がある。
【００３９】
すなわち、前述したように、前記止め具（不図示）及びリベット３の軸３１の何れもが挿通可能な口径に止具孔１１を開設した場合には、この止具孔１１がリベット３の頭部３２の外径に近似することも考えられる。
【００４０】
この場合には、樋支持具本体１の止具孔１１の上位にワッシャー４を配置し、このワッシャー４を介してリベット３を止具孔１１に挿通すれば、リベット３がワッシャー４を介して、取付杆２及び樋支持具本体１を連結固定してなるので、リベット３を確実にカシメ止めして、取付杆２及び樋支持具本体１のガタツキを更に確実に防止でき、樋支持具Ａの安定した強度を更に得ることができる。
【図面の簡単な説明】
【００４１】
【図１】本発明に係る樋支持具Ａの一実施例を示した分解斜視図である。
【図２】（ａ）、（ｂ）は、図１で示した樋支持具の組立て状態を示す要部の動作説明図である。
【図３】（ａ）、（ｂ）は、本発明に係る樋支持具Ａの他の実施例の組立て状態を示す要部の動作説明図である。
【図４】（ａ）、（ｂ）は、従来の樋支持具の組立て状態を示す要部の動作説明図である。
【符号の説明】
【００４２】
Ａ    樋支持具
１    樋支持具本体
１１  止具孔
２    取付杆
２１  ガイド管
３    リベット
４    ワッシャー
【図１】
0004909921.tif 000002
【図２】
0004909921.tif 000003
【図３】
0004909921.tif 000004
【図４】
0004909921.tif 000005